(57)【要約】【課題】簡単な構成で風の広がる範囲を切り換えられるようにした浴室空調装置を提供する。【解決手段】浴室空調装置１は、循環ファン２とヒータ１２によって送風あるいは温風を吹き出す浴室吹出グリル１７ａに風向切り換えルーバ７を備える。風向切り換えルーバ７は、複数枚の整流板９が空気の吹き出す方向に応じた角度で固定された風路形成体８を備え、風路形成体８は、ルーバモータ１１で回転駆動される。風向切り換えルーバ７は、風路形成体８を回転させて、第１の開口部８ａを循環ファン２の吹出口５ｂに対向させるか、第２の開口部８ｂを吹出口５ｂに対向させるかを切り換えることで、整流板９の向きが切り換えられ、整流板９で規制される空気の流れる方向が切り換えられる。【選択図】        図１
2006275345.tif 000002
【特許請求の範囲】
【請求項１】
浴室から空気を吸い込み、浴室内に吹き出す送風手段と、
前記送風手段で送風される空気を加熱する加熱手段と、
前記送風手段から吹き出す空気の吹き出し方向を切り換える風向切り換え手段を有する吹出口とを備えた浴室空調装置において、
前記風向切り換え手段は、
空気の流れる方向を規制する整流板と、
前記整流板が空気の吹き出し方向に応じた角度で固定され、前記整流板に一の方向から空気を取り込む第１の開口部及び前記第１の開口部と対向した他の方向から空気を取り込む第２の開口部を有する風路形成体と、
前記風路形成体を、前記送風手段から吹き出す空気を前記第１の開口部から取り込む向きと、前記第２の開口部から取り込む向きの間で回転駆動する駆動手段と
を備えたことを特徴とする浴室空調装置。
【請求項２】
前記風向切り換え手段は、前記風路形成体の向きに応じて空気の吹き出す方向が広がる方向と狭まる方向に切り換えられる角度で、前記整流板が固定されている
ことを特徴とする請求項１記載の浴室空調装置。
【請求項３】
浴室から空気を吸い込んで、屋外に排気する換気手段を備えた
ことを特徴とする請求項１または２記載の浴室空調装置。
【請求項４】
複数の運転モードを切り換えて実行する制御手段を備え、
前記制御手段は、運転モードに応じて前記風向切り換え手段を制御して、空気の吹き出し方向を切り換える
ことを特徴とする請求項１，２または３記載の浴室空調装置。
【請求項５】
前記制御手段は、浴室内の衣類を乾燥させる乾燥運転モードでは、前記風路形成体を空気の吹き出す方向が広がる向きとして、広い範囲に風を吹き出し、予め浴室を暖房する暖房運転モードでは、前記風路形成体を空気の吹き出す方向が狭まる向きとして、狭い範囲に風を吹き出す
ことを特徴とする請求項４記載の浴室空調装置。
【請求項６】
前記制御手段は、浴室を暖房する暖房運転モードとして、予め浴室を暖房する予備暖房モードと、入浴中に浴室を暖房する入浴中暖房モードを実行し、
予備暖房モードでは、前記風路形成体を空気の吹き出す方向が狭まる向きとして、狭い範囲に風を吹き出し、入浴中暖房モードでは、前記風路形成体を空気の吹き出す方向が広がる向きとして、広い範囲に風を吹き出す
ことを特徴とする請求項４または５記載の浴室空調装置。
【発明の詳細な説明】
【技術分野】
【０００１】
本発明は、浴室に設置される浴室空調装置に関する。詳しくは、簡単な構成で風の広がる範囲を切り換えられるようにしたものである。
【背景技術】
【０００２】
従来より、浴室に温風を吹き出して暖房を行う機能及び浴室内に掛けた衣類等を乾燥させる機能を備えた浴室暖房乾燥機等と称される浴室用の空調装置が提供されている。
【０００３】
浴室空調装置は、浴室の天井に設置される形態で、天井に露出したフロントパネルから、温風等を浴室内へ向けて吹き出す構成となっている。さて、浴室空調装置から吹き出す風が洗い場に居る入浴者に当たると、温風であっても寒さを感じることがある。このため、浴室空調装置では、風の吹き出す方向を浴槽の方向としてあり、浴室は、浴槽の上部に衣類を掛けるランドリパイプを備えて、衣類に直接温風を当たるようにしている。
【０００４】
更に、運転モード等に応じて風の吹き出す方向を変更できるようにした浴室空調装置も提案されている（例えば、特許文献１参照）。風の吹き出す方向を変更できるようにした浴室空調装置では、モータ等に駆動される複数枚の可動ルーバを備え、各可動ルーバを連動させることで空気の吹き出し方向を変更できるようにしてある。
【０００５】
【特許文献１】特開平１１−２３０５６３号公報
【発明の開示】
【発明が解決しようとする課題】
【０００６】
しかし、従来の浴室空調装置では、空気の吹き出し方向を変更するために、複数枚の可動ルーバを連動させて駆動する機構が必要であり、構成が複雑になるという問題がある。
【０００７】
本発明は、このような課題を解決するためになされたもので、簡単な構成で風の広がる範囲を切り換えられるようにした浴室空調装置を提供することを目的とする。
【課題を解決するための手段】
【０００８】
上述した課題を解決するため、請求項１に係る発明の浴室空調装置は、浴室から空気を吸い込み、浴室内に吹き出す送風手段と、送風手段で送風される空気を加熱する加熱手段と、送風手段から吹き出す空気の吹き出し方向を切り換える風向切り換え手段を有する吹出口とを備えた浴室空調装置において、風向切り換え手段は、空気の流れる方向を規制する整流板と、整流板が空気の吹き出し方向に応じた角度で固定され、整流板に一の方向から空気を取り込む第１の開口部及び第１の開口部と対向した他の方向から空気を取り込む第２の開口部を有する風路形成体と、風路形成体を、送風手段から吹き出す空気を第１の開口部から取り込む向きと、第２の開口部から取り込む向きの間で回転駆動する駆動手段とを備えたことを特徴とする。
【０００９】
請求項２に係る発明の浴室空調装置は、請求項１に記載された発明の浴室空調装置において、風向切り換え手段は、風路形成体の向きに応じて空気の吹き出す方向が広がる方向と狭まる方向に切り換えられる角度で、整流板が固定されていることを特徴とする。
【００１０】
請求項３に係る発明の浴室空調装置は、請求項１または請求項２に記載された発明の浴室空調装置において、浴室から空気を吸い込んで、屋外に排気する換気手段を備えたことを特徴とする。
【００１１】
請求項４に係る発明の浴室空調装置は、請求項１，請求項２または請求項３に記載された発明の浴室空調装置において、複数の運転モードを切り換えて実行する制御手段を備え、制御手段は、運転モードに応じて風向切り換え手段を制御して、空気の吹き出し方向を切り換えることを特徴とする。
【００１２】
請求項５に係る発明の浴室空調装置は、請求項４に記載された発明の浴室空調装置において、制御手段は、浴室内の衣類を乾燥させる乾燥運転モードでは、風路形成体を空気の吹き出す方向が広がる向きとして、広い範囲に風を吹き出し、予め浴室を暖房する暖房運転モードでは、風路形成体を空気の吹き出す方向が狭まる向きとして、狭い範囲に風を吹き出すことを特徴とする。
【００１３】
請求項６に係る発明の浴室空調装置は、請求項４または請求項５に記載された発明の浴室空調装置において、制御手段は、浴室を暖房する暖房運転モードとして、予め浴室を暖房する予備暖房モードと、入浴中に浴室を暖房する入浴中暖房モードを実行し、予備暖房モードでは、風路形成体を空気の吹き出す方向が狭まる向きとして、狭い範囲に風を吹き出し、入浴中暖房モードでは、風路形成体を空気の吹き出す方向が広がる向きとして、広い範囲に風を吹き出すことを特徴とする。
【発明の効果】
【００１４】
本発明の浴室空調装置によれば、整流板が固定された風路形成体の回転動作で整流板の向きが変わり、吹出口から吹き出す空気の方向が切り換えられる。これにより、簡単な構成で、風の広がる範囲を切り換えることができる。
【００１５】
よって、運転モード等に応じて風の広がる範囲を切り換えることが可能となり、運転モード毎に最適な方向に風を吹き出すことができる。
【発明を実施するための最良の形態】
【００１６】
以下、図面を参照して本発明の浴室空調装置の実施の形態について説明する。
【００１７】
＜本実施の形態の浴室空調装置の構成例＞
図１及び図２は本実施の形態の浴室空調装置１の一例を示す内部構成図、図３は本実施の形態の浴室空調装置１の一例を示す分解斜視図、図４は本実施の形態の浴室空調装置１の一例を示す平面図である。
【００１８】
ここで、図１（ａ）は図４のＡ−Ａ断面図、図１（ｂ）は図４のＢ−Ｂ断面図、図２は図４のＣ−Ｃ断面図である。なお、各断面図では浴室空調装置１の構成を概略的に示している。
【００１９】
本実施の形態の浴室空調装置１は、浴室換気暖房乾燥機等と称され、送風及び温風を吹き出す循環ファン２と、空気を吸い込んで排気する換気ファン３を備える。循環ファン２及び換気ファン３は、例えば、シロッコファンと称される多翼ファンで構成され、循環ファン２を下側として、循環ファン２と換気ファン３が上下方向に重ねられて、本体ケース４に取り付けられる。
【００２０】
循環ファン２は送風手段の一例で、多翼の羽根車（ファン）２ａと、羽根車２ａを回転駆動する循環ファンモータ２ｂと、風路を形成する循環ファンケース５を備える。
【００２１】
循環ファン２は、羽根車２ａが縦向きとなる方向で配置され、循環ファンケース５は、羽根車２ａの軸方向に沿った下面を開口して形成される吸込口５ａと、羽根車２ａの接線方向に沿って形成される風路と連通した吹出口５ｂを備える。循環ファン２の吹出口５ｂは、本体ケース４の下面側に例えば長方形の開口部を有する。
【００２２】
換気ファン３は換気手段の一例で、多翼の羽根車（ファン）３ａと、羽根車３ａを回転駆動する換気ファンモータ３ｂと、風路を形成する換気ファンケース６を備える。
【００２３】
換気ファン３は、羽根車３ａが縦向きとなる方向で配置され、換気ファンケース６は、羽根車３ａの軸方向に沿った下面を開口して形成される吸込口６ａと、羽根車３ａの接線方向に沿って形成される風路と連通した吹出口６ｂを備える。
【００２４】
浴室空調装置１は、循環ファン２の吹出口５ｂに風向切り換えルーバ７を備える。図５は風向切り換えルーバ７の構成の一例を示す斜視図で、次に、図１及び図５等を参照して風向切り換えルーバ７の構成について説明する。
【００２５】
風向切り換えルーバ７は風向切り換え手段の一例で、風路形成体８と、整流板９を備える。風路形成体８は、短手方向に対向する２面に例えば長方形状の第１の開口部８ａと第２の開口部８ｂを備え、第１の開口部８ａと第２の開口部８ｂの間が連通して例えば直方体状の風路８ｃが形成される。
【００２６】
整流板９は、風路形成体８の風路８ｃ中に取り付けられる。風向切り換えルーバ７は、本例では例えば６枚の整流板９を備え、隣接する３枚の整流板９を備えた一方の整流板群９Ｌは、風路形成体８の向きを第１の開口部８ａが下を向く方向とした場合に、下端が外側を向く方向に傾斜して、風路形成体８に固定される。また、他の隣接する３枚の整流板９を備えた他方の整流板群９Ｒは、一方の整流板群９Ｌと反対の向きの傾斜を有し、第１の開口部８ａを下向きとした場合に、下端が外側を向く方向に傾斜して、風路形成体８に固定される。
【００２７】
風向切り換えルーバ７は、風路形成体８の長手方向の両端部に軸部１０を備える。風向切り換えルーバ７は、風路形成体８の軸部１０が、吹出口５ｂの長手方向の両側部に形成した図示しない軸受部に回転自在に支持される。
【００２８】
風向切り換えルーバ７は、軸部１０にルーバモータ１１が接続される。ルーバモータ１１は駆動手段の一例で、回転角度を認識して所定の向きで停止できるように、例えばステッピングモータで構成される。
【００２９】
風向切り換えルーバ７は、ルーバモータ１１によって風路形成体８が軸１０を支点として回転し、風路形成体８の向きに応じて、第１の開口部８ａあるいは第２の開口部８ｂを吹出口５ｂと対向させて、整流板９を備えた風路８ｃと吹出口５ｂを連通させる。図１では、風路形成体８の第２の開口部８ｂが吹出口５ｂと対向した状態を示す。
【００３０】
循環ファン２は、循環ファンモータ２ｂにより羽根車２ａを回転駆動すると、図１（ｂ）に示すように、空気が吸込口５ａから吸い込まれ、循環ファンケース５を通り吹出口５ｂから吹き出す。
【００３１】
吹出口５ｂには風向切り換えルーバ７が取り付けられており、整流板９の傾斜の方向に従って空気が流れる。そして、風向切り換えルーバ７は、軸１０を支点として風路形成体８を回転させることで、整流板９の傾斜が変化し、空気の吹き出す方向が切り換えられる。
【００３２】
循環ファン２は、図１に示すように、循環ファンケース５の吹出口５ｂの近傍の風路にヒータ１２を備える。ヒータ１２は加熱手段の一例で、ヒータ１２に通電されると、吹出口５ｂを通る空気がヒータ１２が加熱することで暖められ、温風が風向切り換えルーバ７から吹き出す。
【００３３】
ここで、ヒータ１２としては例えばＰＴＣヒータを備える。ＰＴＣヒータは、正極性のサーミスタ特性を有するヒータで、温度が上昇すると抵抗値が上昇し、これにより消費する電流が制御されると共に温度上昇が緩やかになり、その後、消費電流及び発熱部の温度が、飽和領域に達して安定していくものであり、自己温度制御を行う。
【００３４】
このように、ＰＴＣヒータでは、ヒータの温度が上昇すると消費電流が低くなり、その後一定温度の飽和領域に達すると、消費電流が低い値で安定する特性があるために、これを用いることにより、消費電力の節約ができると共に、発熱体の温度の異常上昇を防止可能であるという利点がある。
【００３５】
本体ケース４は、換気ファン３の吸込口６ａの下側に換気風路形成部材１３が取り付けられる。換気風路形成部材１３は、本体ケース４の下面に形成される浴室換気吸込口１４と換気ファン３の吸込口６ａを連通させる浴室換気風路１３ａを形成する。
【００３６】
本体ケース４は、一の側面に吸気ダクト接続部１５を備え、吸気ダクト接続部１５と、換気ファン３の吸込口６ａを連通させる室内換気風路１５ａが形成される。また、本体ケース４は、換気ファン３の吹出口６ｂと連通する排気ダクト接続部１６を、吸気ダクト接続部１５を備えた側面と異なる他の側面に備える。
【００３７】
浴室空調装置１は、本体ケース４の下面にフロントパネル１７が着脱できるように取り付けられる。フロントパネル１７は、循環ファン２の吹出口５ｂと対向する位置に浴室吹出グリル１７ａを備える。浴室吹出グリル１７ａは、風向切り換えルーバ７が露出し、循環ファン２による空気の吹き出しが、浴室吹出グリル１７ａから風向切り換えルーバ７を介して行われる。
【００３８】
また、フロントパネル１７は、循環ファン２の吸込口５ａ及び換気ファン３の吸込口６ａと連通した浴室換気吸込口１４と対向して浴室吸込グリル１７ｂを備え、循環ファン２による空気の吸い込み及び換気ファン３による空気の吸い込みが、浴室吸込グリル１７ｂを介して行われる。更に、フロントパネル１７は、浴室吸込グリル１７ｂの裏側に図示しないフィルタが交換可能に取り付けられる。
【００３９】
＜浴室空調装置の制御機能例＞
図６は浴室空調装置１の制御機能の一例を示す機能ブロック図である。浴室空調装置１は、ＣＰＵやメモリ等で構成される制御部２１に、図１等で説明した循環ファン２を駆動する循環ファンモータ２ｂと、換気ファン３を駆動する換気ファンモータ３ｂと、風向切り換えルーバ７を駆動するルーバモータ１１と、ヒータ１２と、操作部２２等が接続される。
【００４０】
制御部２１は制御手段を構成し、図示しないメモリ等に格納されたプログラムによって例えば暖房運転モード、換気運転モード、涼風運転モード及び乾燥運転モードを実行する。本例の浴室空調装置１では、暖房運転モードとして、予備暖房モードと入浴中暖房モードを備える。
【００４１】
これら運転モードは、入浴者等の利用者が操作部２２を操作すること等により選択され、制御部２１は、選択された運転モードを実行するプログラムに従い循環ファンモータ２ｂ、換気ファンモータ３ｂ、ルーバモータ１１及びヒータ１２等を制御する。
【００４２】
操作部２２は操作手段を構成し、例えば浴室空調装置１本体と独立したリモートコントロール装置である。
【００４３】
図７は操作部２２の一例を示す構成図である。操作部２２は表示部２３と、各種操作ボタン等を備える。操作ボタンとしては、暖房運転モードを選択する暖房モードボタン２４と、涼風運転モードを選択する涼風モードボタン２５と、換気運転モードを選択する換気モードボタン２６と、乾燥運転モードを選択する乾燥モードボタン２７を備える。
【００４４】
また、選択した運転モードを利用者が確認できるように、例えば各ボタンに対応してランプ２８を備え、選択された運転モードのボタンに対応するランプ２８が点灯するようにしても良い。なお、暖房運転モードでは、予備暖房モードと入浴中暖房モードを備えているので、どちらのモードで暖房運転しているかを認識可能とするため、２つのランプ２８を備えて、運転中の暖房モードのランプ２８を点灯させるようにしても良い。
【００４５】
更に、タイマボタン２９を備えて、設定した時間に所望の運転モードが実行できるようにしても良い。
【００４６】
＜浴室空調装置の設置例＞
図８は本実施の形態の浴室空調装置１の設置例を示す構成図である。浴室空調装置１は浴室３１の天井に設置される。浴室３１の天井パネルには、図１等で説明した浴室空調装置１の本体ケース４が入る開口部が形成され、浴室空調装置１は、フロントパネル１７が露出するようにして、天井裏から吊り下げる形態、あるいは天井パネルに固定する形態等で取り付けられる。
【００４７】
図７等に示す操作部２２は、浴室３１に隣接する洗面脱衣所３２の壁面等に取り付けられ、例えばケーブルで浴室空調装置１と接続される。
【００４８】
浴室３１の天井に取り付けられた浴室空調装置１は、吸気ダクト接続部１５に吸気ダクト３３が接続される。吸気ダクト３３は、洗面脱衣所３２の天井に取り付けられた吸気グリル３３ａと接続され、浴室空調装置１で洗面脱衣所３２等の空気を吸気できる構成となっている。
【００４９】
また、浴室３１の入口に浴室ドア３４を備え、浴室ドア３４に空気取入口（ガラリ）３４ａを備えて、洗面脱衣所３２等の空気を浴室３１内に取り込めるようになっている。
【００５０】
更に、浴室３１の天井に取り付けられた浴室空調装置１は、排気ダクト接続部１６に排気ダクト３５が接続される。排気ダクト３５は、図示しない建物の外壁３６に取り付けた排気グリル３５ａに接続され、浴室空調装置１の浴室吸込グリル１７ｂから吸気した浴室３１等の空気と、吸気グリル３３ａ及び吸気ダクト３３を介して吸気した洗面脱衣所３２等の空気を、排気ダクト３５を介して屋外に排気できる構成となっている。
【００５１】
浴室空調装置１は、洗濯物等を乾燥させる機能も備えるので、浴室３１には洗濯物等を掛けるランドリパイプ３７を備える。
【００５２】
浴室空調装置１は、浴室吹出グリル１７ａからの空気の吹き出し方向を、実行する運転モードに応じて図１等に示す風向切り換えルーバ７を動作させて切り換えて、風の広がる範囲を切り換える。
【００５３】
ここで、浴室空調装置１の浴室吹出グリル１７ａから吹き出す風が、浴槽３１ａから出て洗い場３１ｂに居る入浴者に直接当たると、温風であっても寒さを感じることがある。
【００５４】
このため、浴室吹出グリル１７ａからの空気の吹き出し方向を、入浴前に浴室３１自体を暖める予備暖房モードでは洗い場３１ｂ方向とし、他の運転モードではランドリパイプ３７方向とするように、風向切り換えルーバ７の動作で切り換えても良い。
【００５５】
＜風向切り換えルーバの動作例＞
図９は風向切り換えルーバ７の動作例を示す説明図で、先ず、本実施の形態の浴室空調装置１の風向切り換えルーバ７の動作について説明する。風向切り換えルーバ７において、図９（ａ）に示すように、風路形成体８の第２の開口部８ｂが吹出口５ｂと対向する向きでは、第１の開口部８ａが下向きとなるので、一方の整流板群９Ｌは、下端が外側を向く方向に傾斜する。また、他方の整流板群９Ｒは、一方の整流板群９Ｌと反対の向きに傾斜して、下端が外側を向く。
【００５６】
これにより、循環ファン２の動作で吹出口５ｂから吹き出す空気は、整流板９の傾斜の方向に従って流れることで、風路が広がる。従って、浴室空調装置１の浴室吹出グリル１７ａから、広い範囲に風が吹き出す。このように、浴室吹出グリル１７ａから広い範囲に風を吹き出すための空気の吹き出し方向をワイドと称する。
【００５７】
図９（ａ）に示す状態から、ルーバモータ１１によって風路形成体８を軸１０を支点に１８０度回転させて、図９（ｂ）に示すように、風路形成体８の第１の開口部８ａが吹出口５ｂと対向する向きとすると、第２の開口部８ｂが下向きとなるので、一方の整流板群９Ｌは、下端が内側を向く方向に傾斜する。また、他方の整流板群９Ｒは、一方の整流板群９Ｌと反対の向きに傾斜して、下端が内側を向く。
【００５８】
これにより、循環ファン２の動作で吹出口５ｂから吹き出す空気は、整流板９の傾斜の方向に従って流れることで、風路が狭まる。従って、浴室空調装置１の浴室吹出グリル１７ａから、狭い範囲に風が吹き出す。このように、浴室吹出グリル１７ａから狭い範囲に風を吹き出すための空気の吹き出し方向をスポットと称する。
【００５９】
本実施の形態の浴室空調装置１では、個々の整流板９の角度を変えることなく、風路形成体８の回転動作で空気の吹き出す方向を切り換えて、風の広がる範囲を切り換えることができる。
【００６０】
これにより、個々の整流板９を動作させるための機構は不要であり、簡単な構成で風の広がる範囲を切り換えることができる。
【００６１】
＜本実施の形態の浴室空調装置の動作例＞
次に、本実施の形態の浴室空調装置１の動作について各図を参照して説明する。図１０は浴室空調装置１の運転モードと各部の動作の組み合わせのパターンを示す。なお、浴室空調装置１の運転モードとして図９に記載のものは一例である。
【００６２】
図１０の表では、各運転モード毎に図１等に示す循環ファンモータ２ｂ及び換気ファンモータ３ｂの運転の有無が選択可能に設定されている。また、風向切り換えルーバ７による空気の吹き出し方向がワイドかスポットか、更には図８に示す洗い場３１ｂ方向かランドリパイプ３７方向か等から選択可能に設定されている。
【００６３】
また、ヒータ１２についても、各運転モード毎に作動と非作動の選択が可能に設定されている。
【００６４】
図７に示す操作部２２で暖房モードボタン２４が押されると、制御部２１は暖房運転モードが選択されたと判断して、まず、予備暖房モードを実行する。予備暖房モードでは、制御部２１は、ルーバモータ１１を駆動して、風向切り換えルーバ７による空気の吹き出し方向がスポットとなるように、風路形成体８を、図９（ｂ）に示すように、第１の開口部８ａが吹出口５ｂと対向する向きとする。また、空気の吹き出し方向が、図８に示す洗い場３１ｂ方向となるように、風路形成体８の向きを制御する。更に、制御部２１は、循環ファンモータ２ｂとヒータ１２を駆動する。
【００６５】
循環ファンモータ２ｂが駆動されると、図１等に示す羽根車２ａが回転することで、フロントパネル１７の浴室吸込グリル１７ｂを通して、循環ファン２の吸込口５ａから浴室内の空気が吸い込まれ、循環ファンケース５によって吹出口５ｂへと空気が流れる。
【００６６】
ヒータ１２が駆動され通電されると、循環ファンケース５内の風路を通る空気が加温され、循環ファンケース５の吹出口５ｂから吹き出す。そして、風向切り換えルーバ７は、一方の整流板群９Ｌ及び他方の整流板群９Ｒの双方が内側に向いて逆ハの字型に傾斜しているので、循環ファン２の動作で吹出口５ｂから吹き出す空気は、整流板９の傾斜の方向に従って流れることで、風路が狭まる。従って、フロントパネル１７の浴室吹出グリル１７ａから、図８に矢印Ｗ１で示すように、洗い場３１ｂに向けて狭い範囲に温風が吹き出す。
【００６７】
これにより、予備暖房モードでは、冬季等に浴室３１を局所的に暖めることができる。そして、風路を狭めて温風を吹き出すことで風速を上げ、温風が洗い場３１ｂの床面まで届くようにして、短時間で床面までを暖めることができる。
【００６８】
予備暖房モードを実行して例えば所定時間が経過すると、制御部２１は、予備暖房モードを入浴中暖房モードに切り換える。入浴中暖房モードでは、制御部２１は、ルーバモータ１１を駆動して、風向切り換えルーバ７による空気の吹き出し方向がワイドとなるように、風路形成体８を、図９（ａ）に示すように、第２の開口部８ｂが吹出口５ｂと対向する向きとする。また、空気の吹き出し方向が、図８に示すランドリパイプ３７方向となるように、風路形成体８の向きを制御する。更に、制御部２１は、循環ファンモータ２ｂとヒータ１２を駆動する。
【００６９】
入浴中暖房モードでは、風向切り換えルーバ７は、一方の整流板群９Ｌ及び他方の整流板群９Ｒの双方が外側に向いてハの字型に傾斜しているので、循環ファン２の動作で吹出口５ｂから吹き出す空気は、整流板９の傾斜の方向に従って流れることで、風路が広がる。従って、フロントパネル１７の浴室吹出グリル１７ａから、図８に矢印Ｗ２で示すように、ランドリパイプ３７に向けて広い範囲に温風が吹き出す。
【００７０】
これにより、入浴中暖房モードでは、冬季等に浴室３１の全体を暖めることができる。そして、風路を広げて温風を吹き出すことで風速を下げ、温風が直接入浴者に当たらないようにして、寒さを感じることを防ぐことができる。
【００７１】
なお、暖房モードでは、換気ファンモータ３ｂは駆動されず、換気は行われないので、暖房モードで暖められた浴室３１内の空気が排出されることはない。
【００７２】
ここで、予備暖房モードと入浴中暖房モードで循環ファンモータ２ｂの回転数を変えて、循環ファン２の風量を換えても良い。例えば、予備暖房モードでは循環ファン２の風量を上げることで、より短時間で浴室３１を暖めることができるようにしてもよい。また、暖房運転モードとして、予備暖房モードのみを実行する構成としても良い。
【００７３】
図７に示す操作部２２で涼風モードボタン２５が押されると、制御部２１は涼風運転モードが選択されたと判断して、ルーバモータ１１と循環ファンモータ２ｂと換気ファンモータ３ｂとを駆動する。
【００７４】
涼風運転モードでは、制御部２１は、ルーバモータ１１を駆動して、風向切り換えルーバ７による空気の吹き出し方向がスポットとなるように、風路形成体８を、図９（ｂ）に示すように、第１の開口部８ａが吹出口５ｂと対向する向きとする。また、空気の吹き出し方向が、図８に示す洗い場３１ｂ方向となるように、風路形成体８の向きを制御する。
【００７５】
循環ファンモータ２ｂが駆動されると、フロントパネル１７の浴室吸込グリル１７ｂから浴室３１内の空気が循環ファン２に吸い込まれる。涼風運転モードでは、ヒータ１２が駆動されないことで、循環ファンケース５を通る空気は加温されず、吹出口５ｂから浴室３１内の温度に応じた送風（涼風）が吹き出す。
【００７６】
涼風運転モードでは、風向切り換えルーバ７は、一方の整流板群９Ｌ及び他方の整流板群９Ｒの双方が内側に向いて逆ハの字型に傾斜している。よって、循環ファン２の動作で吹出口５ｂから吹き出す空気は、整流板９の傾斜の方向に従って流れることで、フロントパネル１７の浴室吹出グリル１７ａから、図８に矢印Ｗ１で示すように、浴室３１の洗い場３１ｂに向けて送風が吹き出す。
【００７７】
換気ファンモータ３ｂが駆動されると、図２に示す羽根車３ａが回転することで、フロントパネル１７の浴室吸込グリル１７ｂから、浴室換気風路１３ａ及び換気ファンケース６の吸込口６ａを通り、浴室３１内の空気が換気ファン３に吸い込まれる。
【００７８】
吸込口６ａから吸い込まれた空気は、換気ファンケース６によって吹出口６ｂへと流れ、図８に示す排気ダクト３５を通り排気グリル３５ａから屋外へ排出される。
【００７９】
これにより、涼風運転モードでは、夏季等に浴室空調装置１を扇風機として使用することができる。すなわち、洗い場３１ｂに居る入浴者に向けて風路を狭めて風を送るため、入浴者に風が届いて夏季であっても涼しく入浴できる。そして、涼風運転モードでは、換気ファンモータ３ｂを駆動することで浴室３１内の空気を換気しながら、送風を吹き出すようになっており、浴室３１内の湿気等を換気しながら、送風を行うことができる。
【００８０】
図７に示す操作部２２で乾燥モードボタン２７が押されると、制御部２１は乾燥運転モードが選択されたと判断して、ルーバモータ１１、循環ファンモータ２ｂ、換気ファンモータ３ｂ及びヒータ１２を駆動する。
【００８１】
乾燥運転モードでは、制御部２１は、ルーバモータ１１を駆動して、風向切り換えルーバ７による空気の吹き出し方向がワイドとなるように、風路形成体８を、図９（ａ）に示すように、第２の開口部８ｂが吹出口５ｂと対向する向きとする。また、空気の吹き出し方向が、図８に示すランドリパイプ３７方向となるように、風路形成体８の向きを制御する。
【００８２】
循環ファンモータ２ｂ及びヒータ１２が駆動されると、フロントパネル１７の浴室吸込グリル１７ｂから浴室３１内の空気が循環ファン２に吸い込まれ、吹出口５ｂから温風が吹き出す。
【００８３】
乾燥運転モードでは、風向切り換えルーバ７は、一方の整流板群９Ｌ及び他方の整流板群９Ｒの双方が外側に向いて傾斜しているので、循環ファン２の動作で吹出口５ｂから吹き出す空気は、整流板９の傾斜の方向に従って流れることで、風路が広がる。従って、フロントパネル１７の浴室吹出グリル１７ａから、図８に矢印Ｗ２で示すように、ランドリパイプ３７に向けて広い範囲に温風が吹き出す。
【００８４】
換気ファンモータ３ｂが駆動されると、図２に示す羽根車３ａが回転することで、フロントパネル１７の浴室吸込グリル１７ｂから、浴室換気風路１３ａ及び換気ファンケース６の吸込口６ａを通り、浴室３１内の空気が換気ファン３に吸い込まれる。
【００８５】
吸込口６ａから吸い込まれた空気は、換気ファンケース６によって吹出口６ｂへと流れ、図８に示す排気ダクト３５を通り排気グリル３５ａから屋外へ排出される。
【００８６】
これにより、乾燥運転モードでは、浴室３１に温風を吹き出すと共に、浴室３１の空気を屋外に排出することで、浴室３１内のランドリパイプ３７に干した衣類の洗濯物等を乾燥させることができる。
【００８７】
そして、風路を広げて温風を吹き出すことで、広い範囲に温風が吹き出され、ランドリパイプ３７に掛けた衣類の全体に温風が当たるようにして、乾燥を促進することができる。
【００８８】
なお、運転モードとして、浴室３１の壁面や床面を乾燥させる浴室乾燥運転モードを設けても良い。浴室乾燥運転モードでは、ヒータ１２に通電せず、風向切り換えルーバ７による空気の吹き出し方向がワイドとなるように、風路形成体８を、図９（ａ）に示すように、第２の開口部８ｂが吹出口５ｂと対向する向きとする。
【００８９】
これにより、循環ファン２が駆動されることで、フロントパネル１７の浴室吹出グリル１７ａから広い範囲に送風が吹き出し、浴室３１の壁面に送風が当たることで、浴室３１の壁面を乾燥させることができる。
【００９０】
また、浴室乾燥運転モードとして、風路形成体８の向きを、図９（ａ）に示す向きと図９（ｂ）に示す向きを交互、または、所定時間後に切り換えるようにして、風路形成体８が図９（ａ）の向きでは、浴室３１の壁面に送風が当たるようにし、風路形成体８が図９（ｂ）の向きでは、浴室３１の洗い場３１ｂの床面に送風が当たるようにする。
【００９１】
これにより、浴室３１の壁面と、洗い場３１ｂの床面の両方を乾燥させることができる。
【００９２】
図７に示す操作部２２で換気モードボタン２６が押されると、制御部２１は換気運転モードが選択されたと判断して、換気ファンモータ３ｂを駆動する。換気ファンモータ３ｂが駆動されると、フロントパネル１７の浴室吸込グリル１７ｂから、浴室３１内の空気が換気ファン３に吸い込まれる。また、図８に示す吸気グリル３３ａから、洗面脱衣所３２内の空気が換気ファン３に吸い込まれる。
【００９３】
換気ファン３に吸い込まれた空気は、換気ファンケース６によって吹出口６ｂへと流れ、排気ダクト３５を通り排気グリル３５ａから屋外へ排出される。
【００９４】
これにより、換気運転モードでは、浴室３１及び吸気グリル３３ａが設置された洗面脱衣所３２内の空気を屋外に排出することができる。なお、浴室３１と洗面脱衣所３２の間では、浴室ドア３４の空気取入口３４ａからも洗面脱衣所３２の空気が浴室３１に取り込まれ、浴室空調装置１により屋外に排出される。
【００９５】
ここで、浴室空調装置１は、２４時間換気システムを構成することも可能である。すなわち、浴室空調装置１は、浴室３１及び吸気グリル３３ａが設置された洗面脱衣所３２内の空気を屋外に排出することで、洗面脱衣所３２の図示しないドアのアンダーカット部等から、各部屋の空気が吸気される。
【００９６】
これにより、所定の部屋に備えた空気の取り入れ口から、新鮮な外気が取り込まれる。そして、必要換気風量が得られるように換気ファン３の風量を設定することで、所定換気回数を満たすことができる。
【００９７】
なお、換気運転モードでは、風向切り換えルーバ７によりフロントパネル１７の浴室吹出グリル１７ａを閉じても良い。例えば、空気の吹き出し方向をワイド或いはスポット状態とした風路形成体８を、略９０度回度させることで、風路形成体８の側面で、浴室吹出グリル１７ａを閉じることができる。よって、循環ファン２の運転を停止している間は、浴室吹出グリル１７ａを閉じた状態とすることで、外観性を向上させることができる。
【産業上の利用可能性】
【００９８】
本発明は、浴室に設置され、浴室の暖房や換気を行う機能を有する浴室空調装置に適用される。
【図面の簡単な説明】
【００９９】
【図１】本実施の形態の浴室空調装置の一例を示す内部構成図である。
【図２】本実施の形態の浴室空調装置の一例を示す内部構成図である。
【図３】本実施の形態の浴室空調装置の一例を示す分解斜視図である。
【図４】本実施の形態の浴室空調装置の一例を示す平面図である。
【図５】風向切り換えルーバの構成の一例を示す斜視図である。
【図６】浴室空調装置の制御機能の一例を示す機能ブロック図である。
【図７】操作部の一例を示す構成図である。
【図８】本実施の形態の浴室空調装置の設置例を示す構成図である。
【図９】風向切り換えルーバの動作例を示す説明図である。
【図１０】浴室空調装置の運転モードと各部の動作の組み合わせのパターンの一例を示す動作テーブルである。
【符号の説明】
【０１００】
１・・・浴室空調装置、２・・・循環ファン、２ａ・・・羽根車、２ｂ・・・循環ファンモータ、３・・・換気ファン、３ａ・・・羽根車、３ｂ・・・換気ファンモータ、５・・・循環ファンケース、５ａ・・・吸込口、５ｂ・・・吹出口、６・・・換気ファンケース、６ａ・・・吸込口、６ｂ・・・吹出口、７・・・風向切り換えルーバ、８・・・風路形成体、８ａ・・・第１の開口部、８ｂ・・・第２の開口部、８ｃ・・・風路、９・・・整流板、１０・・・軸部、１１・・・ルーバモータ、１２・・・ヒータ、１３・・・換気風路形成部材、１３ａ・・・浴室換気風路、１４・・・浴室換気吸込口、１５・・・吸気ダクト接続部、１５ａ・・・室内換気風路、１６・・・排気ダクト接続部、１７・・・フロントパネル、１７ａ・・・浴室吹出グリル、１７ｂ・・・浴室吸込グリル、
２１・・・制御部、２２・・・操作部、２３・・・表示部、２４・・・暖房モードボタン、２５・・・涼風モードボタン、２６・・・換気モードボタン、２７・・・乾燥モードボタン、２８・・・ランプ、２９・・・タイマボタン、３１・・・浴室、３１ａ・・・浴槽、３１ｂ・・・洗い場、３２・・・洗面脱衣所、３３・・・吸気ダクト、３３ａ・・・吸気グリル、３４・・・浴室ドア、３４ａ・・・空気取入口、３５・・・排気ダクト、３５ａ・・・排気グリル、３６・・・外壁、３７・・・ランドリパイプ
【図１】
2006275345.tif 000003
【図２】
2006275345.tif 000004
【図３】
2006275345.tif 000005
【図４】
2006275345.tif 000006
【図５】
2006275345.tif 000007
【図６】
2006275345.tif 000008
【図７】
2006275345.tif 000009
【図８】
2006275345.tif 000010
【図９】
2006275345.tif 000011
【図１０】
2006275345.tif 000012